(57)【要約】【課題】  従来の電子装置では、マザーボードとオプションボードの接続を保持しないと電気的動作ができないため、接続を保持したまま一体にしてメインシャーシに固定していたが、メインシャーシが大きいため輸送や検査の際の取り扱いが困難であった。【解決手段】  外部筐体であるメインシャーシ１と、電子部品が実装された第一の基板であるマザーボード３と、マザーボード３に実装された電子部品と電気的に接続される第二の基板であるオプションボード４と、マザーボード３及びオプションボード４を所定の位置に位置決めして保持するとともに、メインシャーシ１に固定されるサブシャーシ２とを設けた。【選択図】  図１
2013171606.tif 000002
【特許請求の範囲】
【請求項１】
外部筐体であるメインシャーシと、
電子部品が実装された第一の基板と、
前記第一の基板に実装された電子部品と電気的に接続される第二の基板と、
前記第一の基板及び前記第二の基板を所定の位置に位置決めして保持するとともに、前記メインシャーシに固定されるサブシャーシとを設けたことを特徴とする電子装置。
【請求項２】
サブシャーシは、前記第一の基板の位置決め部を設けたことを特徴とする請求項１に記載の電子装置。
【請求項３】
サブシャーシは、前記電子部品に接続された配線を束ねる配線保持手段を設けたことを特徴とする請求項１に記載の電子装置。
【請求項４】
サブシャーシは、第一の基板及び第二の基板の上部に更に電子部品を搭載するための取り付け台座を設けたことを特徴とする請求項１に記載の電子装置。
【発明の詳細な説明】
【技術分野】
【０００１】
この発明は、それぞれ電子部品が実装されるマザーボードとマザーボードに取り付けられるオプションボードが搭載された電子装置に関する。
【背景技術】
【０００２】
従来の電子装置では、マザーボードとオプションボードの接続を保持しないと電気的動作ができないため、接続を保持したまま一体にしてレコーダのメインシャーシに固定して接続を保持していた。メインシャーシはマザーボードとオプションボード以外も部品を搭載するためマザーボードと比べるとサイズは大きく、一度メインシャーシにマザーボートとオプションボードを固定した後に輸送や検査を実施しようとすると、メインシャーシの大きさのため取り扱いが難しい点があった。
【０００３】
特許文献１には、電子回路が形成された回路基板を固着したサブシャーシと、このサブシャーシを固定するメインシャーシを、電子回路の電源を供給する接続端子をサブシャーシに設けた貫通穴に半田固着し、この接続端子をメインシャーシに設けられた貫通穴に嵌めた状態で、メインシャーシとサブシャーシが固定される構造が開示されている。
【先行技術文献】
【特許文献】
【０００４】
【特許文献１】実開昭６０−１１１０７８号公報
【発明の概要】
【発明が解決しようとする課題】
【０００５】
従来のレコーダでは、マザーボードとそのオプションボードの接続を保持しないと電気的動作ができないため、接続を保持したまま一体にしてレコーダのメインシャーシに固定していたが、メインシャーシはマザーボードとオプションボード以外も部品を搭載するためサイズが大きく、一度メインシャーシにマザーボートとオプションボードを固定した後に輸送や検査を実施しようとすると、メインシャーシの大きさのため取り扱いが難しい問題があった。また、そのメインシャ−シの大きさのため、輸送時の輸送コストが大きいという問題があった。
【０００６】
本発明は上記のような取り扱いが難しいという問題を、マザーボードとオプションボードをメインシャーシに固定するのではなく、オプションボードを接続したマザーボードと同等程度のサイズのサブシャーシに固定して、マザーボードとオプションボードを固定するシャーシを小型化し取扱性を向上させることを目的とする。さらに、そのサブシャーシに固定することで輸送コストを下げることを目的とする。
【課題を解決するための手段】
【０００７】
この発明に係る電子装置は、外部筐体であるメインシャーシと、電子部品が実装された第一の基板と、第一の基板に実装された電子部品と電気的に接続される第二の基板と、第一の基板及び第二の基板を所定の位置に位置決めして保持するとともに、メインシャーシに固定されるサブシャーシとを設けたものである。
【発明の効果】
【０００８】
この発明に係る電子装置は、外部筐体であるメインシャーシと、電子部品が実装された第一の基板と、第一の基板に実装された電子部品と電気的に接続される第二の基板と、第一の基板及び第二の基板を所定の位置に位置決めして保持するとともに、メインシャーシに固定されるサブシャーシとを設けたので、マザーボードとオプションボードを固定するシャーシの小型化により、取り扱い性が向上するという効果、梱包材の削減と輸送コストの削減効果を奏する。
【図面の簡単な説明】
【０００９】
【図１】本発明の実施の形態１に係る電子装置の外観斜視図である。
【図２】図１の電子装置を分解した状態を示す分解斜視図である。
【図３】サブシャーシにマザーボードとオプションボードを搭載した状態を示す外観斜視図である。
【図４】本発明の実施の形態２に係る電子装置のサブシャーシにマザーボードとオプションボードを搭載した状態を示す外観斜視図である。
【図５】本発明の実施の形態３に係る電子装置のサブシャーシにマザーボードとオプションボードを搭載した状態を示す外観斜視図である。
【図６】図５に示すサブシャーシをメインシャーシに固定した状態を示す外観斜視図である。
【図７】本発明の実施の形態４に係る電子装置を分解した状態を示す分解斜視図である。
【発明を実施するための形態】
【００１０】
実施の形態１．
以下に本発明の実施の形態を図に基づいて説明する。図１は本発明の実施の形態１に係る電子装置の外観斜視図である。図２は、図１の電子装置を分解した状態を示す分解斜視図である。図３は、サブシャーシにマザーボードとオプションボードを搭載した状態を示す外観斜視図である。各図の符号の１はメインシャーシ、２はサブシャーシ、３はマザーボード（第一の基板）、４はオプションボード（第二の基板）、５はマザーボードのＣＰＵファン、６はマザーボードの放熱フィン、７はコネクタ端子を示す。
【００１１】
図１において、メインシャーシ１は電子装置の筐体となる部品であり、ステンレスなどの板金部材で作られた板金部品である。メインシャーシ１には、サブシャーシ２を取り付けるためのねじ穴が開けられている。また、メインシャーシ１は他の部品も取り付けられるように大きく作られている。サブシャーシ２はステンレスなどの板金部材で作られた板金部品であり、メインシャーシ１に取り付けるためのねじ穴と、マザーボード３（第一の基板）とオプションボード４（第二の基板）を保持するためのねじ穴が開いている。マザーボード３とオプションボード４は、それぞれ電子部品が搭載される基板である。
【００１２】
次に、図２を参照して上記説明の各部品の取り付け手順を説明する。まず、オプションボード４をマザーボード３に電気的に接続してから、マザーボード３をサブシャーシ２にねじで固定する。次に、オプションボード４をサブシャーシ２にねじで固定する。そして、マザーボード３とオプションボード４を固定したサブシャーシ２をメインシャーシ１にねじで固定する。なお、サブシャーシ２へのマザーボード３とオプションボード４などの保持は、ねじではなく成形部品のスペーサーなどでもかまわない。
【００１３】
図３に示すように、マザーボード３に、ＣＰＵファン５、マザーボード３の放熱フィン６、コネクタ端子７のような電子部品が実装されている。オプションボード４には特段、電子部品が図示されていないが、所望の電子部品が搭載される。マザーボード３とオプションボード４は、搭載された電子部品の電気的な接続を確保しつつ、サブシャーシ２に保持固定される。電気的に接続されたマザーボード３とオプションボード４を保持したサブシャーシ２がひとつの部品単位(ユニット)となり、移動、検査、メインシャーシ１への取り付けといった作業性が向上する。上記のように、サブシャーシ２にマザーボード３とオプションボード４を固定することで、メインシャーシ１に直接、マザーボード３とオプションボード４を固定していた従来の電子装置よりも、マザーボード３とオプションボード４よりなるユニットの取り扱いが簡便になる。
【００１４】
マザーボード３とオプションボード４は、この２つだけでは接続が維持できないためサブシャーシ２のように、両者を保持固定するための板金部品が必要である。この板金部品としてメインシャーシ１ではなく、サブシャーシ２を用いることにより、マザーボード３とオプションボード４よりなるユニットのサイズは、メインシャーシ１にマザーボード３とオプションボード４を取り付けたユニットよりも小さくなるので、マザーボード３とオプションボード４よりなるユニットの取扱性や移動性が向上し、検査や移動がしやすくなり、作業性も向上する。また、マザーボード３とオプションボード４とサブシャーシ２を一体で輸送する際、従来のサイズより小さくなるため、輸送時に使用していた梱包材の削減と一度の輸送数の増大が図れて輸送コストが削減できる。
【００１５】
実施の形態２．
サブシャーシ２にマザーボード３とオプションボード４を取り付ける際に、実施の形態２では、正確に位置決めするため、サブシャーシ２にマザーボード３の位置決め部を追加した。このように変更することで、サブシャーシ２へマザーボード３を取り付ける際の作業性が向上する。以下、図に基づいて説明する。図４は、本発明の実施の形態２に係る電子装置のサブシャーシにマザーボードとオプションボードを搭載した状態を示す外観斜視図である。図４において、８（ａ）、８（ｂ）、８（ｃ）はマザーボード３をサブシャーシ２に取り付ける際の位置決め部を示す。８（ａ）はＸ方向、８（ｂ）と８（ｃ）はＹ方向の位置を決める。図４において、図３と同一の符号は同一又は相当部分を示すので、説明は省略する。
【００１６】
位置決め部８（ａ）、８（ｂ）、８（ｃ）は、マザーボード３を取り付ける際にＸ方向とＹ方向の取り付ける位置を示すために形成された曲げ加工部である。この位置決めは、曲げ加工部ではなくピンや圧入ポストなどで代用してもかまわない。上記の部品概要を踏まえ、取り付け手順を説明する。まず、オプションボード４をマザーボード３に電気的に接続してからサブシャーシ２の位置決め部８（ａ）、８（ｂ）、８（ｃ）に合わせてマザーボード３をサブシャーシ２にねじで固定する。次に、オプションボード４をサブシャーシ２にねじで固定する。上記のようにサブシャーシ２にマザーボード３の位置決め部を追加することで、実施の形態１の効果に加えて、正確に位置決め出来るという効果を奏する。また、位置決め部８（ａ）、８（ｂ）、８（ｃ）により固定すべき位置がはっきりと分かるため、作業性も向上する。また、マザーボードとオプションボードを固定するシャーシに他部品の機能を取り入れて一体化することにより、部品点数を削減し、部品コストと組立コストの削減が可能になる。
【００１７】
実施の形態３．
実施の形態１では、サブシャーシ２にはマザーボード３とオプションボード４のみを固定していたが、実施の形態３ではサブシャーシ２にクランプ用の取付穴を追加し、マザーボード３からのケーブルを固定するクランプを取り付けられるようにした。このように変更することで、マザーボード３から接続されるケーブルをサブシャーシ２に固定でき、作業性を向上させる。以下図に基づいて説明する。図５は、本発明の実施の形態３に係る電子装置のサブシャーシにマザーボードとオプションボードを搭載した状態を示す外観斜視図である。また、図６は図５に示すサブシャーシをメインシャーシに固定した状態を示す外観斜視図である。図５において９はクランプ取付穴を、図６において１０はクランプを示す。図５及び図６において、図３と同一の符号は同一又は相当部分を示すので、説明は省略する。
【００１８】
クランプ取付穴９は、ケーブルを固定するクランプ１０を取り付けるための穴である。この穴の形状はクランプ１０の必要取付孔に合わせ、個数と位置は他部品の固定を遮らない限りどこにあってもかまわない。クランプ１０は、ケーブル固定を目的として作られた成形部品である。上記の部品概要を踏まえ、取り付け手順を説明する。まず、オプションボード４をマザーボード３に電気的に接続してから、マザーボード３をサブシャーシ２にねじ固定する。次に、オプションボード４をサブシャーシ２にねじで固定する。マザーボード３とオプションボード４をサブシャーシ２に固定した後、サブシャーシ２の取付穴９にクランプ１０を取り付ける。そして、マザーボード３とオプションボード４とクランプ１０を保持したサブシャーシ２をメインシャーシ１にねじで固定する。マザーボード３から引き出された（あるいは引き入れられる）ケーブルはクランプ１０で束ねてサブシャーシ２に固定されるので、配線の引き回しが整理されて作業性が向上する。
【００１９】
上記のようにサブシャーシ２にクランプ取付穴９を追加してクランプ１０を取り付けられるようにすることで、実施の形態１の効果に加えて、マザーボード３に接続するケーブルをサブシャーシ２に取り付けたクランプ１０で固定できるため、メインシャーシ１にマザーボード３とオプションボード４とサブシャーシ２を取り付ける前にあらかじめマザーボード３にケーブルを取り付けることが可能になり、事前の作業性を向上させる。また、マザーボードとオプションボードを固定するシャーシに他部品の機能を取り入れて一体化することにより、部品点数を削減し、部品コストと組立コストの削減が可能になる。
【００２０】
実施の形態４．
実施の形態１ではサブシャーシ２にマザーボード３とオプションボード４のみを固定していたが、実施の形態４ではサブシャーシ２に記録装置ＨＤＤを取り付けるため台座を追加する。このように変更することで、メインシャーシ１に取り付けられていたＨＤＤ固定のための他板金部品を取り除くことができ、部品コストと組立コストの削減を図ることができる。以下、図に基づいて説明する。図７は、本発明の実施の形態４に係る電子装置を分解した状態を示す分解斜視図である。図７において、１１は取付台座、１２はＨＤＤベース、１３はＨＤＤ、１４はＨＤＤトレイを示す。図７において、図３と同一の符号は同一又は相当部分を示すので説明は省略する。
【００２１】
取付台座１１は、サブシャーシ２の上側にＨＤＤベース１２を取り付けるために板金に曲げ加工を施して生成した部材であり、ＨＤＤベース１２を取り付けるためのねじ穴が開いている。ＨＤＤベース１２は、ステンレスなどの板金部材で作られた板金部品であり、ＨＤＤ１３を乗せたＨＤＤトレイ１４を取り付けるためのねじ穴と、サブシャーシ２に取り付けるためのねじ穴が開いている。ＨＤＤ１３は記録装置である。ＨＤＤトレイ１４は、ステンレスなどの板金部材で作られた板金部品であり、ＨＤＤ１３を乗せて固定するためのねじ穴とＨＤＤベース１２に取り付けるためのねじ穴が開いている。
【００２２】
上記の部品概要を踏まえ、取り付け手順を説明する。まず、オプションボード４をマザーボード３に接続してから、マザーボード３をサブシャーシ２にねじ固定する。次に、オプションボード４をサブシャーシ２にねじで固定する。そして、ＨＤＤベース１２をサブシャーシ２にねじで固定する。それからＨＤＤトレイ１４にＨＤＤ１３をねじで固定し、ＨＤＤトレイ１４をＨＤＤベース１２にねじで固定する。ＨＤＤ１３とＨＤＤトレイ１４をサブシャーシ２に取り付けられたＨＤＤベース１２に取り付ける作業は、サブシャーシ２をメインシャーシ１に取り付けた後に実施しても良い。
【００２３】
上記のようにサブシャーシ２に取付台座１１を追加することで、ＨＤＤ１３がサブシャーシ２に取り付けられるようになり、実施の形態１の効果に加えて、メインシャーシ１に取り付けられていたＨＤＤ固定のための板金部品を取り除くことができる。つまり、サブシャーシ２にメインシャーシ１に取り付けられている複数の板金部品の機能を移すことで、複数あった部品を１つに集約でき、組立の工数と部品数が減り、組立性の向上と部品コストの削減が図ることができる。
【符号の説明】
【００２４】
１  メインシャーシ、２  サブシャーシ、３  マザーボード、４  オプションボード、
５  マザーボードのCPUファン、６  マザーボードの放熱フィン、
７  マザーボードのコネクタ端子、８  マザーボード位置決め部、
９  クランプ取付用穴、１０  クランプ、１１  ＨＤＤ取付用台座、
１２  ＨＤＤベース、１３  ＨＤＤ、１４  ＨＤＤトレイ
【図１】
2013171606.tif 000003
【図２】
2013171606.tif 000004
【図３】
2013171606.tif 000005
【図４】
2013171606.tif 000006
【図５】
2013171606.tif 000007
【図６】
2013171606.tif 000008
【図７】
2013171606.tif 000009